(57)【特許請求の範囲】
【請求項１】
電子制御ユニットが収容される空間を画成する収納室本体と、前記収納室本体に形成された、前記電子制御ユニットを収容する際の入り口となる収容口と、前記収納室本体に形成された、前記収容口と向かい合う位置において開口する底口と、を有するユニット収納室と、
前記底口を覆うように前記収納室本体に組み付けられる第１のロアー部材本体と、前記第１のロアー部材本体が前記収納室本体に組みつけられた際に、該収納室本体の内部に進入し該収納室本体の内面に接触する補強壁と、を有する第１のロアー部材と、
を備えることを特徴とする収納箱。
【請求項２】
請求項１に記載の収納箱が設けられたことを特徴とする電気接続箱。
【請求項３】
前記収納箱が形成されたフレームと、
前記第１のロアー部材を内部に収容するように、前記ユニット収納室の前記底口が形成された前記フレームの一方の側を覆うように該フレームに組み付けられる第２のロアー部材と、
を備えることを特徴とする請求項２に記載の電気接続箱。
【発明の詳細な説明】
【技術分野】
【０００１】
本発明は、自動車等に搭載されて、電子制御ユニットを収容するユニット収納室を備えた収納箱および電気接続箱に関するものである。
【背景技術】
【０００２】
従来から、電子制御部品等を含む電子制御ユニットを収容したユニット収納室を持つタイプの電気接続箱が、提案されている（例えば、特許文献１参照）。この電気接続箱は、電気制御ユニットを収容するユニット収納室のほかに、その電子制御ユニットに接続される多数の電線（ハーネス）、コネクタの収納室を有し、これらをコンパクトに纏めて車室内に装着される。そして、この電子制御ユニットがユニット収納室に収容するタイミングとしては、電気メーカや電線配索業者によって電線やコネクタ等が予め配置された電気接続箱を用意しておき、その後、その電気接続箱のユニット収納室内に自動車メーカ等が後付けによって収容している。
【先行技術文献】
【特許文献】
【０００３】
【特許文献１】特開２００９−１００５３３号公報
【発明の概要】
【発明が解決しようとする課題】
【０００４】
上述した従来の電気接続箱は、解決すべき以下の問題を有している。
自動車メーカ等において前述のように電線およびコネクタを電子制御ユニットに接続し、その電子制御ユニットをユニット収納室内に収納（設置）する作業が面倒である。即ち、一つまたは複数の束に纏められた前記電線がユニット収納室の外の収容空間に押し込められると、電線がユニット収納室を画成する側壁をユニット収納室の外から強い力で押圧するように作用し、ユニット収納室の側壁がその押圧力を受けて内側に撓み変形する。このため、ユニット収納室内への前記電子制御ユニットの収納作業が困難または面倒になり、結果として電気接続箱全体の組付け効率が悪くなってしまう。
【０００５】
本発明は、上述した事情に鑑みてなされたものであり、その目的は、電子制御ユニットが収容されるユニット収納室を構成する収納室本体の側壁を、この収納室本体の外に設置される電線やコネクタからの外力を受けても撓まないように補強でき、以ってユニット収納室内への電子制御ユニットの収納操作をスムースに行えるようにする収納箱および電気接続箱を提供することにある。
【課題を解決するための手段】
【０００６】
前述した目的を達成するために、本発明に係る収納箱は、下記（１）を特徴としている。
（１）  電子制御ユニットが収容される空間を画成する収納室本体と、前記収納室本体に形成された、前記電子制御ユニットを収容する際の入り口となる収容口と、前記収納室本体に形成された、前記収容口と向かい合う位置において開口する底口と、を有するユニット収納室と、
前記底口を覆うように前記収納室本体に組み付けられる第１のロアー部材本体と、前記第１のロアー部材本体が前記収納室本体に組みつけられた際に、該収納室本体の内部に進入し該収納室本体の内面に接触する補強壁と、を有する第１のロアー部材と、
を備えること。
【０００７】
前述した目的を達成するために、本発明に係る電気接続箱は、下記（２）および（３）を特徴としている。
（２）  上記（１）の構成の収納箱が設けられたこと。
（３）  上記（２）の構成の電気接続箱であって、
前記収納箱が形成されたフレームと、
前記第１のロアー部材を内部に収容するように、前記ユニット収納室の前記底口が形成された前記フレームの一方の側を覆うように該フレームに組み付けられる第２のロアー部材と、
を備えること。
【０００８】
上記（１）〜（３）の構成の収納箱または電気接続箱によれば、補強壁が収納室本体の内面に接触するように位置しているので、収納室本体に外側から内側に向けて外力が作用しても（例えば、ワイヤハーネスが収容されたときにワイヤハーネスに収納室本体が押圧されても）、その外力に抗する反発力を補強壁が収納室本体の内面に作用させる。この結果、収納室本体が内側に向けて変形することを抑えることができる。
【発明の効果】
【０００９】
本発明によれば、ユニット収納室外に設置された電線等がその収納室本体に対し外力を作用させる場合にも、補強壁がその外力に抗する反発力を生むため、収納室本体が内側に撓むことを回避でき、従って電子制御ユニットのユニット収納室内への収納作業が収納室本体の変形によって妨げられることなく、スムースかつ迅速に行えるようになる。
【００１０】
以上、本発明について簡潔に説明した。更に、以下に説明される発明を実施するための形態を添付の図面を参照して通読することにより、本発明の詳細は更に明確化されるであろう。
【図面の簡単な説明】
【００１１】
【図１】本発明の実施形態にかかる電気接続箱（第２のロアー部材を除く。）を示す斜視図である。
【図２】本発明の実施形態にかかる電気接続箱の分解斜視図である。
【図３】図１に示す電気接続箱を方向を変えて見た分解斜視図である。
【図４】本発明の実施形態にかかる電気接続箱のフレームの正面図である。
【図５】本発明の実施形態にかかる電気接続箱のフレームの平面図である。
【図６】本発明の実施形態にかかる電気接続箱のフレームを斜め下方から見た斜視図である。
【図７】本発明の実施形態にかかる電気接続箱の第１のロアー部材の正面図である。
【図８】本発明の実施形態にかかる電気接続箱の第１のロアー部材の平面図である。
【図９】本発明の実施形態にかかる電気接続箱の第１のロアー部材の斜視図である。
【図１０】図７に示す第１のロアー部材を方向を変えて見た斜視図である。
【図１１】本発明の実施形態にかかる電気接続箱の第２のロアー部材の正面図である。
【図１２】本発明の実施形態にかかる電気接続箱の第２のロアー部材の平面図である。
【図１３】本発明の実施形態にかかる電気接続箱のアッパカバーの正面図である。
【図１４】本発明の実施形態にかかる電気接続箱のアッパカバーの下面図である。
【図１５】本発明の実施形態にかかる電気接続箱のアッパカバーを斜め下方から見た斜視図である。
【図１６】図１に示す電気接続箱からアッパカバーを取り外した状態の斜視図である。
【図１７】図１６に示す電気接続箱の平面図である。
【図１８】図１６に示す電気接続箱の、ＸＶＩＩＩ−ＸＶＩＩＩ線から視た断面を部分的に示す斜視図である。
【図１９】ユニット収納室内に出し入れされる電子制御ユニットの収容過程を示す説明図であり、図１９（ａ）〜図１９（ｃ）はそれぞれ、その一過程を示す図である。続手順を示す説明図である。
【発明を実施するための形態】
【００１２】
以下、本発明の一実施形態にかかる収納箱および電気接続箱を、図１乃至図１９を参照して説明する。本実施形態にかかる収納箱および電気接続箱は、電子制御ユニットが収容される空間を画成する収納室本体と、前記収納室本体に形成された、前記電子制御ユニットを収容する際の入り口となる収容口と、前記収納室本体に形成された、前記収容口と向かい合う位置において開口する底口と、を有するユニット収納室と、前記底口を覆うように前記収納室本体に組み付けられる第１のロアー部材本体と、前記第１のロアー部材本体が前記収納室本体に組み付けられた際に、該収納室本体の内部に進入し該収納室本体の内面に接触する補強壁と、を有する第１のロアー部材と、を備える。
【００１３】
本実施形態の電気接続箱Ａは、図１〜図３に示すように、収納箱であるフレーム１１と、第１のロアー部材１２と、第２のロアー部材１３と、ベース部材１４と、アッパカバー１５とを備えて構成される。これらのフレーム（収納箱）１１、第１のロアー部材１２、第２のロアー部材１３、ベース部材１４、アッパカバー１５は耐熱性、絶縁性、硬質の例えば合成樹脂を素材として、あるいは金属材料を併用して所定の形状、サイズに形成され、後述のような連結手段（係止部、被係止部）を用いて一体結合され、電気接続箱Ａが形成される。これらのうち、フレーム１１は、図４〜図６に示すように、全体として上下方向短めで環状体をなし、この環状体を構成する側壁１６、１７、１８、１９の外側面にはサイズや形状が同一または異なる複数個の被係止部１１ａが一体に設けられている。
【００１４】
ここで、側壁１６、１９は外方に向かって少し湾曲するような形態をなし、側壁１７は平らで、側壁１８は全体として大きくＬ字状に湾曲し、これらが環状に繋がっている。側壁１７は対向する側壁１９の高さに比べて、図４に示すように、下方に長めに垂下延設され、この延設部１７ａを含む側壁１７との間に、ユニット収納室２０を画成する断面コ字状（または断面矩形状）の隔壁２１が側壁１７に連設されている。この隔壁２１はシールド効果がある金属板で構成することも可能である。また、前記環状体を構成する側壁１６、１８、１９の内側面には、サイズや形状が異なる複数の係止部１１ｂが一体に突設されている。
【００１５】
また、図４および図５において、前記隔壁２１および側壁１７は後述の電子制御ユニット６３を収容する空間を画成する収納室本体Ｂを構成している。この収納室本体Ｂは、上下方向に貫通する空間を画成しており、電子制御ユニット６３を収容する際の入り口となる、図６に示すような収容口２０ａと、前記収納室本体Ｂに形成されて、前記収容口２０ａと向かい合う位置において開口する底口２０ｂとを備える。これらの収容口２０ａおよび底口２０ｂはユニット収納室２０の一部を構成している。
【００１６】
フレーム１１の側壁１６〜１９の内側面に設けられた係止部１１ｂおよび隔壁２１の外側面に設けられた係止部２１ａは、前記ベース部材１４の外側面に設けられた係止突起（被係止部）１４ａに係止されて、ベース部材１４をフレーム１１に保持する。また、フレーム１１の側壁１６〜１９の外側面に設けられた被係止部１１ａは、第１のロアー部材１２および第２のロアー部材１３に設けられた後述の各係止突起１２ａ、１３ａにそれぞれ係止されて、フレーム１１に第１のロアー部材１２および第２のロアー部材１３を保持する。
【００１７】
側壁１６の下部には後述の電線（ハーネス）導入用の切欠２２が形成されている。さらに、隔壁２１の下部にもフレーム１１内からユニット収納室２０内にコネクタ付き電線を導入する切欠２４が形成されている。
【００１８】
側壁１８上部および側壁１９上部の一部の外側面には、このフレーム１１の上部開口を塞ぐアッパカバー１５の下端縁を支承するリブ２６が一体に突設されている。側壁１８の内側には、フレーム１１内に収納される電線に接続されたコネクタを装着するためのコネクタ収納枠２７、２８が設けられている。
【００１９】
前記第１のロアー部材１２は、図７〜図１０に示すように、底部２９がＶ字状に凹んだ形状の有底型容器をなし、ヘの字状に曲がった側壁３０および平らな側壁３１〜３３からなる第１のロアー部材本体Ｃを有する。そして、この第１のロアー部材本体Ｃを構成するこれらの側壁３０〜３３の上端縁には、略同一高さの補強壁３０ａ、３１ａ、３２ａ、３３ａが上方に向かって延設され、さらに前記上端縁から外に向かって連続する１本のリブ３４が一体に突設されている。これらの補強壁３０ａ〜３３ａおよびリブ３４は、第１のロアー部材本体Ｃとともに前記１のロアー部材１２を構成している。補強壁３０ａ〜３３ａは第１のロアー部材１２が収納室本体Ｂに組み付けられた際に、図１６〜図１８に示すように、この収納室本体Ｂの内部に進入して、該収納室本体Ｂの内面に接触する。これにより、収納室本体Ｂが、例えばこれの外部に設置された電線やコネクタなどから押圧力を受けるようなことがあっても、その押圧力に抗する反発力を収納室本体Ｂの内面に作用させる。このため、この収納室本体Ｂが内側に変形するのを抑えることができる。
【００２０】
一方、リブ３４は、第１のロアー部材１２を下部に取り付ける前記フレーム１１の側壁１６、１７の下端を支承するように機能する。前記係止突起１２ａはこのリブ３４に沿った側壁３０〜３２の所定位置に一体に設けられている。これらの係止突起１２ａは前記フレーム１１上の複数の被係止部１１ａに対応する部位に設けられ、フレーム１１と第１のロアー部材１２との結合時に相互に嵌合される。この第１のロアー部材１２はフレーム１１と第１のロアー部材１２との結合によって、収納室本体Ｂに形成された底口２０ｂを下方から覆うように、そのフレーム１１に組み付けられる。
【００２１】
さらに、側壁３３には上端に開口する大きめの切欠３５が形成され、この切欠３５の左右部位に大小２つの被係止部１２ｂが一体に設けられている。前記切欠３５は、この第１のロアー部材１２に連設される第２のロアー部材１３内を通じて第１のロアー部材１２内に導入されるコネクタ付きの電線（ハーネス）を、図１９（ａ）〜図１９（ｃ）に示すようにガイドするように機能する。
【００２２】
前記被係止部１２ｂは第２のロアー部材１３の側方開放端の下部に、図１１および図１２に示すように突設された係止突起１３ｂに対応する部位に設けられ、第１のロアー部材１２に第２のロアー部材１３を連結する際に、第１のロアー部材１２の各被係止部１２ｂに、第２のロアー部材１３に突設された係止突起１３ｂが嵌合接続される。なお、符号３６は、側壁３１の外側面に、前記リブ３４に連続するように縦方向に突設された複数本の補強リブである。
【００２３】
また、第１のロアー部材１２における側壁３３の上部外側面には、起立片３４ａが前記リブ３４の外側縁から立ち上がるように連設されている。この起立片３４ａは前記補強壁３３ａに対向し、リブ３４に支持される隔壁２１の下端がそのリブ３４上で水平方向にずれないように位置決めされる。また、前記補強壁３３ａは前記リブ３４とともに収納室本体Ｂを補強するため、隔壁２１がこれに隣接するようにフレーム１１内に設置された電線やコネクタから押圧力を受けても、また、側壁１７に何らかの外力が作用しても変形することはない。従って、ユニット収納室２０内の容積が狭まることはなく、後述の電子制御ユニット６３のユニット収納室２０内への収納作業が障害なくスムースに行える。
【００２４】
このように本実施形態では、ロアー部材が第１のロアー部材１２と第２のロアー部材１３とに２分割され、第１のロアー部材１２はフレーム１１内のユニット収納室２０内に通じ、このユニット収納室２０を除くフレーム１１内および第２のロアー部材１３内に対して遮断した空間を形成している。これにより、ユニット収納室２０の内部は外部から熱的に遮蔽または分離され、防水性、強度が高められている。この結果、このユニット収納室２０内に収容される電子制御ユニットはその動作の安定性、信頼性が確保される。
【００２５】
また、前記第１のロアー部材１２は収納室本体Ｂに組み付けられる際に、図１６〜図１８に示すように、該収納室本体Ｂの内部に進入し、この収納室本体Ｂの内面に前記補強壁３０ａ〜３３ａが接触する。さらに、フレーム１１内の隔壁２１の下端縁が第１のロアー部材１２の側壁３３と起立片３４ａとの間のリブ３４上に支持される。このため、その隔壁２１の安定的な支持並びに水平方向への撓み変形の防止がともに図られる。従って、ユニット収納室２０を除くフレーム１１内に前述のように設置された電線やコネクタが、その収納室本体Ｂに対しこれの内側に向けて外力（押圧力）を作用させても、補強壁３３ａはその外力に抗する反発力を、ユニット収納室２０を構成する前記隔壁２１に付与する。この結果、この隔壁２１が内側に向けて撓むことはない。また、補強壁３０ａ〜３２ａはフレーム１１の側壁１６〜１８の下端部内面に接触するため、これらの側壁に作用する外力に対してもこれに抗する反発力を持つ。この結果、これらの側壁１６〜１８も内側に向けて撓むことはない。
【００２６】
図１１および図１２は、前述の係止突起１３ｂおよび係止突起１３ａを有する第２のロアー部材１３を示す。この第２のロアー部材１３は、第１のロアー部材１２を内部に収容するように、前記ユニット収納室２０の前記底口２０ｂが形成された前記フレーム１１の一方の側を覆うように該フレーム１１に組み付けられる。この第２のロアー部材１３は第１のロアー部材１２との結合部方向および上方が開放された有底型の容器であり、側壁３７と、この側壁３７とともに平面視で略Ｌ字状をなす側壁３８と、開口３９と、円弧状の側壁４０と、底部４１とを有する。ここで、各係止突起１３ｂはこれに隣接配置される第１のロアー部材１２の被係止部１２ｂに係止可能であり、係止突起１３ａはフレーム１１の外側面にある前記被係止部１１ａに係止可能になっている。なお、前記側壁３７、３８、４０および底部４１は複数箇所で互いに折り曲げ形状とされて、これらの補強が図られている。
【００２７】
前記ベース部材１４は多数のコネクタ、ヒューズ、リレーなど、主に電気部品を装着した板状のブロック体であり、このブロック体の外側面には、前述のような複数個の被係止部１４ａが一体に設けられている。このベース部材１４はユニット収納室２０を除くフレーム１１内に収納可能なサイズおよび形状をなし、このベース部材１４の前記被係止部１４ａがフレーム１１内面の前記係止部１１ｂに嵌合可能になっている。なお、ブロック体前面に位置する被係止部１４ａは前記隔壁２１の係止部２１ａに係止可能となっている。
【００２８】
図１３〜図１５は、前記アッパカバー１５を示し、これがフレーム１１の上部開口を覆うように構成されている。このアッパカバー１５は、天部４２と、この天部４２の周囲に連設された側壁４３〜４６とを備える。これらのうち天部４２および側壁４４は略平らに形成されているが、側壁４３〜４６は平面視で前記フレーム１１の側壁１６〜１９に略合致する形状およびサイズに形成されている。側壁４５は全体として平面視で略Ｌ字状をなし、側壁４３、４４、４６とともに環状に繋がっている。
【００２９】
側壁４３および側壁４５の一部には外方に突出するように各一の係止突起１５ａが設けられている。これらの係止突起１５ａは前記フレーム１１の側壁１６および側壁１８に設けられた各一の被係止部１１ａの対応位置に設けられている。従って、フレーム１１の上部にアッパカバー１５を被せたとき、係止突起１５ａが被係止部１１ａに対し係合可能になる。
【００３０】
また、このアッパカバー１５において側壁４３〜４６の内側面には、天部４２から同一距離の部位に段部４７が連続するように形成され、この段部４７にフレーム１１の各側壁１６〜１９の上縁が受け入れ可能になっている。つまり、アッパカバー１５は、その段部４７が側壁１６〜１９の上縁に支承されることで、フレーム１１上に安定的に装着される。また、側壁４４およびこの側壁４４が側壁４５に連続する部分の下部に、延長壁４８が垂下延設されている。
【００３１】
さらに、アッパカバー１５の内側面には、側壁４４とともに矩形の空間を画成する略コ字状の隔壁４９が設けられている。この隔壁４９は平面視でフレーム１１に設けられた隔壁２１とサイズおよび形状が合致するものであり、フレーム１１にアッパカバー１５を被せたとき、フレーム１１の隔壁２１の上端縁にアッパカバー１５の隔壁４９の下端縁が密接する。このため、隔壁４９は天部４２とともにフレーム１１のユニット収納室２０内を上部から密閉する空間を形成する。従って、ユニット収納室２０内をこれの外部との間で熱的に遮蔽するとともに、隔壁４９がユニット収納室２０を形成する前記隔壁２１上に接合されることで、天部４２がこれらに支持され、従って不用意に天部が撓む（凹む）ことを回避できる。なお、符号５０は、側壁４３〜４６の内面に設けられた複数本の補強リブである。
【００３２】
かかる構成のフレーム１１、第１のロアー部材１２、第２のロアー部材１３、ベース部材１４、アッパカバー１５は、次のようにして組み付けられる。まず、フレーム１１の下部に第１のロアー部材１２を配置してフレーム１１の側壁１６、１７および隔壁２１の下端縁を、第１のロアー部材１２のリブ３４上に支承させる。そして、第１のロアー部材１２の外側面に設けられた係止突起１２ａをフレーム１１下部の被係止部１１ａに挿し込む。このとき隔壁２１の下端縁は、リブ３４上にあって、しかも起立片３４ａと側壁３３上部の補強壁３３ａとの間に介在される。このため、フレーム１１内に後述のように束ねられた多数の電線から隔壁２１に押圧力が作用しても、補強壁３３ａがその押圧力を支えるため、隔壁２１が変形することはない。つまり、隔壁２１の撓み変形が防止され、ユニット収納室２０内への電子制御ユニット６３の収納作業（操作）が障害なくスムースに行えるようになる。
【００３３】
続いて、第２のロアー部材１３の開放部側を第１のロアー部材１２の側壁３３側に対向させるとともに、その開放部側の大小２つの係止突起１３ｂを第１のロアー部材１２の被係止部１２ｂ内にこれらの下方から差し込む。また、これらの係止突起１３ｂの被係止部１２ｂへの係合操作に前後して、第２のロアー部材１３の外側面にある各係止突起１３ａをこれに対向する位置にあるフレーム１１の外側面にある被係止部１１ａに下方から挿し込んで係止する。これによりフレーム１１、第１のロアー部材１２および第２のロアー部材１３が図１６に示すように連結される。
【００３４】
次に、フレーム１１内の上部に上方からベース部材１４が挿入する。このときベース部材１４の外側面に設けられた係止突起（被係止部）１４ａをフレーム１１の内周面に設けられた係止部１１ｂに係止する。これによりベース部材１４はフレーム１１内の上部に安定保持される。そして、このベース部材１４を収容したフレーム１１上にアッパカバー１５を被せる。なお、このベース部材１４下部のフレーム１１内には、そのベース部材１４に装着されたリレーやヒューズに接続される多数本の電線が配置される。このときアッパカバー１５の各一の係止突起１５ａが、これらに対応する位置に臨むフレーム１１の外周面にある各一の被係止部１１ａに係止される。これにより、アッパカバー１５はフレーム１１にガタツキなく装着され、最終的に図１に示すような電気接続箱Ａが形成される。
【００３５】
この場合において、フレーム１１内に隔壁２１によって画成されるユニット収納室２０内は、これの下部において、第１のロアー部材１２のリブ３４上にフレーム１１の側壁１６、１７の一部の下端縁および隔壁２１の下端縁が密接することで塞がれ、上部においてはアッパカバー１５の側壁４３、４４の一部の下端縁および隔壁４９の下端縁がフレーム１１における側壁の一部の上端縁および隔壁２１の上端縁に密接させることで塞がれる。
【００３６】
従って、ユニット収納室２０内はこのユニット収納室２０を除くフレーム１１の内外から熱的に遮断された空間となり、電子制御ユニット６３が収容されるユニット収納室２０と、この電子制御ユニット６３に接続されるコネクタ付き電線が収容されるフレーム１１内との間の熱移動が規制される。
【００３７】
なお、電気接続箱Ａは、ユニット収納室２０を除くフレーム１１内に電線を前記ベース部材１４とともに収容し、これらの電線の端部およびこの端部に取り付けられたコネクタは、第１のロアー部材１２の切欠３５およびフレーム１１内の隔壁２１に設けられた切欠２４を介して前記ユニット収納室２０内に挿入される。このユニット収納室２０内に収容されたコネクタは、ユニット収納室２０の上部開口から引き上げられて、自動車メーカ側が用意した電子制御ユニットの端子に嵌合される。この後、この電子制御ユニット６３はそのユニット収納室２０内に収容される。
【００３８】
ところで、電気接続箱Ａにおけるフレーム１１のユニット収納室２０内に、自動車メーカが用意した電子制御ユニット６３を収納する手順は、図１９（ａ）〜図１９（ｃ）に示す通りである。まず、前記切欠２４および切欠３５を介してユニット収納室２０内に挿入されたコネクタ６１付きの電線（ハーネス）６２を、図１９（ａ）に示すように、このユニット収納室２０の上方開口部側から指や治具を挿し入れて引き上げ、用意した電子制御ユニット６３の端子（図示しない）に装着（嵌合）する。
【００３９】
そして、これらのコネクタ６１および電子制御ユニット６３側の端子との嵌合を確実に行った後は、図１９（ｂ）に示すように、電線６２を第１のロアー部材１２およびユニット収納室２０内において略Ｕ字状に屈曲させながら、電子制御ユニット６３をユニット収納室２０内に押し込んでいく。さらに、この押し込み操作を、電子制御ユニット６３の上面がユニット収納室２０の開口部付近に沈むまで行う。この後、ユニット収納室２０を除くフレーム１１の内部に配置された多数の電線とこれらの電線の上に前述のように配置されるベース部材１４の上方から、アッパカバー１５をフレーム１１上に被せる。
【００４０】
また、本実施形態では、ロアー部材が第１のロアー部材１２と第２のロアー部材１３との２分割構成とされ、第１のロアー部材１２はフレーム１１内のユニット収納室２０内に通じて、このユニット収納室２０を除くフレーム１１内部および第２のロアー部材１３内に対して遮断した空間を形成している。従って、ユニット収納室２０の内部を外部から熱的に遮蔽または分離でき、さらに防水性を高めることができる。この結果、このユニット収納室２０内に収容される電子制御ユニットの動作の安定性、信頼性が確保される。また、フレーム１１に第１のロアー部材１２を装着した場合に、フレーム１１内の隔壁２１の下端縁が、第１のロアー部材１２の側壁３３上の補強壁３０ａ〜３３ａと起立片３４ａとの間のリブ３４上に支持される。このため、その隔壁２１の安定的な支持並びに水平方向への撓みや移動を規制できるメリットがある。
【００４１】
以上のように、本実施形態の収納箱は、電子制御ユニット６３が収容される空間を画成する収納室本体Ｂと、収納室本体Ｂに形成されて、電子制御ユニット６３を収容する際の入り口となる収容口２０ａと、収納室本体Ｂに形成された、前記収容口２０ａと向かい合う位置において開口する底口２０ｂと、を有するユニット収納室２０と、前記底口２０ｂを覆うように収納室本体Ｂに組み付けられる第１のロアー部材本体Ｃと、この第１のロアー部材本体Ｃが前記収納室本体Ｂに組みつけられた際に、収納室本体Ｂの内部に進入し該収納室本体Ｂの内面に接触する補強壁３０ａ〜３３ａを有する第１のロアー部材と、を備えた構成を持つ。
【００４２】
これにより、補強壁３０ａ〜３３ａが収納室本体Ｂの内面に接触するように位置することとなり、収納室本体Ｂに外側から内側に向けて外力が作用しても、その外力に抗する反発力を補強壁３０ａ〜３３ａが収納室本体Ｂの内面に作用させる。従って、収納室本体Ｂが内側に向けて変形するのを抑えることができ、ユニット収納室内への電子制御ユニットの収納操作を差し障り無くスムースに実施できることとなる。
【符号の説明】
【００４３】
Ａ  電気接続箱
Ｂ  収納室本体
Ｃ  第１のロアー部材本体
１１  フレーム（収納箱）
１１ａ  被係止部
１１ｂ  係止部
１２  第１のロアー部材
１２ａ  係止突起
１２ｂ  被係止部
１３  第２のロアー部材
１３ａ  係止突起
１３ｂ  係止突起
１４  ベース部材
１４ａ  係止突起（被係止部）
１５  アッパカバー
１５ａ  係止突起
１６、１７、１８、１９  側壁
２０  ユニット収納室
２０ａ  収容口
２０ｂ  底口
２１  隔壁
２１ａ  係止部
２２  切欠
２４  切欠
２６  リブ
２７、２８  コネクタ収納枠
２９  底部
３０、３１、３２、３３  側壁
３０ａ、３１ａ、３２ａ、３３ａ  補強壁
３４  リブ
３５  切欠
３６  補強リブ
３７、３８、４０  側壁
３９  開口
４１  底部  
４２  天部
４３、４４、４５、４６  側壁
４７  段部
４８  延長壁
４９  隔壁
５０  補強リブ
６１  コネクタ
６２  電線（ハーネス）
６３  電子制御ユニット
【図１】
0005769463.tif 000002
【図２】
0005769463.tif 000003
【図３】
0005769463.tif 000004
【図４】
0005769463.tif 000005
【図５】
0005769463.tif 000006
【図６】
0005769463.tif 000007
【図７】
0005769463.tif 000008
【図８】
0005769463.tif 000009
【図９】
0005769463.tif 000010
【図１０】
0005769463.tif 000011
【図１１】
0005769463.tif 000012
【図１２】
0005769463.tif 000013
【図１３】
0005769463.tif 000014
【図１４】
0005769463.tif 000015
【図１５】
0005769463.tif 000016
【図１６】
0005769463.tif 000017
【図１７】
0005769463.tif 000018
【図１８】
0005769463.tif 000019
【図１９】
0005769463.tif 000020